(57)【要約】【課題】先端が尖ったり曲がった工具であっても、ポケット部に挿入し易いと共に、これら挿入した工具が引き出し易く、ポケット部が破損し難い腰袋を提供する。【解決手段】ベース部材１とカバー部材２とからなり、前記ベース部材１はベルト取付部５を有している。前記カバー部材２は、本生地２ａの裏面から、この本生地２ａより工具挿入側に伸びる被覆部Ｃを有した当生地２ｂを重ね合せたものとし、この被覆部Ｃを本生地２ａ側に折り返して、本生地２ａに固着している。前記ベース部材１の表側に前記カバー部材２を取付けることにより、工具を挿入したとき工具の持手が突出する開口６を有したポケット部３が形成されている。【選択図】図２
2019130639.tif 000002
【特許請求の範囲】
【請求項１】
ベース部材（１）とカバー部材（２）とからなり、前記ベース部材（１）はベルト取付部（５）を有しており、
前記カバー部材（２）は、本生地（２ａ）の裏面から、この本生地（２ａ）より工具挿入側に伸びる被覆部（Ｃ）を有した当生地（２ｂ）を重ね合せたものとし、この被覆部（Ｃ）を本生地（２ａ）側に折り返して、本生地（２ａ）に固着しており、
前記ベース部材（１）の表側に前記カバー部材（２）を取付けることにより、工具を挿入したとき工具の持手が突出する開口（６）を有したポケット部（３）が形成されていることを特徴とする腰袋。
【請求項２】
ベース部材（１）とカバー部材（２）とからなり、前記ベース部材（１）はベルト取付部（５）を有しており、
前記カバー部材（２）は、本生地（２ａ）の裏面から、この本生地（２ａ）より工具挿入側および工具先端突出側に伸びる被覆部（Ｃ）を有した当生地（２ｂ）を重ね合せたものとし、これら被覆部（Ｃ）をそれぞれ本生地（２ａ）側に折り返して、本生地（２ａ）に固着しており、
前記ベース部材（１）の表側に前記カバー部材（２）を取付けることにより、工具を挿入したとき工具の持手が突出する開口（６）と、工具の先端が突出する開口（７）を有したポケット部（３）が形成されていることを特徴とする腰袋。
【請求項３】
ベース部材（１）と第一のカバー部材（２）および第二のカバー部材（２）とからなり、前記ベース部材（１）はベルト取付部（５）を有しており、
前記第一のカバー部材（２）および第二のカバー部材（２）は、それぞれ本生地（２ａ）の裏面から、この本生地（２ａ）より工具挿入側および工具先端突出側に伸びる被覆部（Ｃ）を有した当生地（２ｂ）を重ね合わせたものとし、これら被覆部（Ｃ）をそれぞれ本生地（２ａ）側に折り返して、本生地（２ａ）に固着しており、
前記ベース部材（１）の表側に前記第一のカバー部材（２）を取り付けることにより、工具を挿入したとき工具の持手が突出する第一の開口（６）と、工具の先端が突出する第一の開口（７）を有した第一のポケット部（３）が形成され、さらに前記第一のカバー部材（２）の表側に第二のカバー部材（２）を取り付けることにより、工具を挿入したとき工具の持手が突出する第二の開口（６）と、工具の先端が突出する第二の開口（７）を有した第二のポケット部（３）が形成されていることを特徴とする腰袋。
【請求項４】
ベース部材（１）と第一のカバー部材（２）および第二のカバー部材（２）とからなり、前記ベース部材（１）はベルト取付部（５）を有しており、
前記第一のカバー部材（２）は、本生地（２ａ）の裏面から、この本生地（２ａ）より工具挿入側および工具先端突出側に伸びる被覆部（Ｃ）を有した当生地（２ｂ）を重ね合わせたものとし、これら被覆部（Ｃ）をそれぞれ本生地（２ａ）側に折り返して、本生地（２ａ）に固着しており、
前記第二のカバー部材（２）は、内生地（２ｃ）の表裏面に、この内生地（２ｃ）の工具先端突出側に伸びる第一の延長部（Ｅ）と第二の延長部（Ｅ）を有した外生地（２ｄ）を巻き付けたものとし、この外生地（２ｄ）を前記内生地（２ｃ）に固着し、前記第一の延長部（Ｅ）および第二の延長部（Ｅ）をそれぞれ内側に折り返し、これらの折り返した部分を固着しており、
前記ベース部材（１）の表側に前記第一のカバー部材（２）を取り付けることにより、工具を挿入したとき工具の持手が突出する第一の開口（６）と、工具の先端が突出する第一の開口（７）を有した第一のポケット部（３）が形成され、さらに前記第一のカバー部材（２）の表側に第二のカバー部材（２）を取り付けることにより、工具を挿入したとき工具の持手が突出する第二の開口（６）と、工具の先端が突出する第二の開口（７）を有した第二のポケット部（３）が形成されていることを特徴とする腰袋。
【請求項５】
ベース部材（１）と第一〜三のカバー部材（２）とからなり、前記ベース部材（１）はベルト取付部（５）を有しており、
前記第一のカバー部材（２）および第二のカバー部材（２）は、それぞれ本生地（２ａ）の裏面から、この本生地（２ａ）より工具挿入側に伸びる被覆部（Ｃ）を有した当生地（２ｂ）を重ね合わせたものとし、この被覆部（Ｃ）を本生地（２ａ）側に折り返して、本生地（２ａ）に固着しており、
前記第三のカバー部材（２）は、本生地（２ａ）の裏面から、この本生地（２ａ）より工具挿入側および工具先端突出側に伸びる被覆部（Ｃ）を有した当生地（２ｂ）を重ね合わせたものとし、これら被覆部（Ｃ）をそれぞれ本生地（２ａ）側に折り返して、本生地（２ａ）に固着しており、
前記ベース部材（１）の表側に前記第一のカバー部材（２）を取り付け、このカバー部材（２）に底部材（８）を取り付けることにより、各種物品や工具を出し入れする第一の開口（６）と、これらが落ちないようにしておく第一の底（９）を有した第一のポケット部（３）が形成され、
前記第一のカバー部材（２）の表側に前記第二のカバー部材（２）を取り付けることにより、各種物品や工具を出し入れする第二の開口（６）と、これらが落ちないようにしておく第二の底（９）を有した第二のポケット部（３）が形成され、
前記第一のカバー部材（２）の表側に前記第三のカバー部材（２）を取り付けることにより、工具を挿入したとき工具の持手が突出する第三の開口（６）と、工具の先端が突出する開口（７）を有した第三のポケット部（３）が形成されていることを特徴とする腰袋。
【発明の詳細な説明】
【技術分野】
【０００１】
この発明は、電気工事現場、建築工事現場等において、作業者が腰に吊り下げて使用するのに適した腰袋に関するものである。
【背景技術】
【０００２】
従来、この種の腰袋としては、図１２、１３に示したようなベース部材１１とカバー部材１２とからなるものが存在する。ベース部材１１の表面側にはカバー部材１２を取り付けることにより、工具が挿入される上部開口１６および下部開口１７を有する略角筒状のポケット部１３が形成されている。そして、ベース部材１１の表面には、ポケット部１３の上部開口１６よりも上方から下端にかけてベース部材１１よりも摩擦係数の小さい滑り面部材１４が取り付けられ、工具の挿入時および引き出し時の摩擦が小さくなるように構成されている（特許文献１）。
【０００３】
このように構成された腰袋は、工具の挿入または引き出し時には、工具をベース部材１１側に少し押し付けるようにして工具の出し入れを行うことでポケット部１３との摩擦が小さくなり、滑らかに出し入れすることができるとしている。
【０００４】
さらに、この種の腰袋としては、図１４、１５に示したような上部開口とした大口の第一のポケット部２１と上部開口とした大口の保護ポケット部２２とからなるものが存在する。第一のポケット部２１の前面と側面には、中口の第二のポケット部２１、小口の第三のポケット部２１が設けられている。そして、保護ポケット部２２を第一のポケット部２１より硬い素材で形成し、第一のポケット部２１内の底部から下半部までの間に前記保護ポケット部２２を保持したものとしている。
【０００５】
このように構成された腰袋は、ビット、釘、ネジ類などの各種物品や、ドライバー、スパナ、ナイフなどの先端が尖った工具を収納した場合にも底が破れたり、抜けてしまったりすることがなく、耐久性に優れたものになるとしている。
【先行技術文献】
【特許文献】
【０００６】
【特許文献１】実用新案登録第３２０５７８２号公報
【特許文献２】特開２００９−２４８２５４号公報
【発明の概要】
【発明が解決しようとする課題】
【０００７】
しかしながら、上記従来の特許文献１に記載された腰袋では、ポケット部１３の上部開口１６および下部開口１７の縁部には、これら縁部を補強するために帯状の補強生地１５を巻き付けミシン糸で縫着しているので、これら縁部の内外側面には段差１８が生じている。
【０００８】
そのため、ポケット部１３に先端が尖った工具を挿入する場合には、そのポケット部１３の下部開口１７の内側面の段差１８に、その工具の先端が引っ掛かって挿入し難かったり、下部開口１７の縁部が破損したり、またポケット部１３に挿入した先端が曲がった工具を引き出す場合には、そのポケット部１３の上部開口１６の内側面の段差１８に、その工具の先端が引っ掛かって引き出し難かったり、上部開口１６の縁部が破損したりするという課題を有していた。
【０００９】
さらに、上記従来の特許文献２に記載された腰袋では、第一および第二のポケット部２１の上部開口２３の縁部や、第三のポケット部２１の上部開口２３および下部開口２４の縁部には、これら縁部を補強するために帯状の補強生地２５を巻き付けミシン糸で縫着しているので、特許文献１に記載された腰袋と同様に、これら縁部の内外側面には段差２６が生じている。
【００１０】
そのため、特許文献２に記載された腰袋においても、これらポケット部２１に先端が尖った工具を挿入する場合や、これらポケット部２１から先端が曲がった工具を引き出す場合には、特許文献１に記載された腰袋と同様にこれらの工具が挿入し難かったり、引き出し難かったり、これらポケット部２１の上部開口２３および下部開口２４の縁部が破損したりするという課題を有していた。
【００１１】
そこで、この発明は、上記従来の腰袋が有する課題を解決することを目的としており、先端が尖ったり曲がった工具であっても、ポケット部に挿入し易いと共に、これら挿入した工具が引き出し易く、ポケット部が破損し難い腰袋を提供することを目的としてなされたものである。
【課題を解決するための手段】
【００１２】
この発明の腰袋は、ベース部材１とカバー部材２とからなり、前記ベース部材１はベルト取付部５を有している。前記カバー部材２は、本生地２ａの裏面から、この本生地２ａより工具挿入側に伸びる被覆部Ｃを有した当生地２ｂを重ね合せたものとし、この被覆部Ｃを本生地２ａ側に折り返して、本生地２ａに固着している。前記ベース部材１の表側に前記カバー部材２を取付けることにより、工具を挿入したとき工具の持手が突出する開口６を有したポケット部３が形成されている。
【００１３】
さらに、この発明の腰袋は、ベース部材１とカバー部材２とからなり、前記ベース部材１はベルト取付部５を有している。前記カバー部材２は、本生地２ａの裏面から、この本生地２ａより工具挿入側および工具先端突出側に伸びる被覆部Ｃを有した当生地２ｂを重ね合せたものとし、これら被覆部Ｃをそれぞれ本生地２ａ側に折り返して、本生地２ａに固着している。前記ベース部材１の表側に前記カバー部材２を取付けることにより、工具を挿入したとき工具の持手が突出する開口６と、工具の先端が突出する開口７を有したポケット部３が形成されている。
【００１４】
そして、この発明の腰袋は、ベース部材１と第一のカバー部材２および第二のカバー部材２とからなり、前記ベース部材１はベルト取付部５を有している。前記第一のカバー部材２および第二のカバー部材２は、それぞれ本生地２ａの裏面から、この本生地２ａより工具挿入側および工具先端突出側に伸びる被覆部Ｃを有した当生地２ｂを重ね合わせたものとし、これら被覆部Ｃをそれぞれ本生地２ａ側に折り返して、本生地２ａに固着している。前記ベース部材１の表側に前記第一のカバー部材２を取り付けることにより、工具を挿入したとき工具の持手が突出する第一の開口６と、工具の先端が突出する第一の開口７を有した第一のポケット部３が形成され、さらに前記第一のカバー部材２の表側に第二のカバー部材２を取り付けることにより、工具を挿入したとき工具の持手が突出する第二の開口６と、工具の先端が突出する第二の開口７を有した第二のポケット部３が形成されている。
【００１５】
さらに、この発明の腰袋は、ベース部材１と第一のカバー部材２および第二のカバー部材２とからなり、前記ベース部材１はベルト取付部５を有している。前記第一のカバー部材２は、本生地２ａの裏面から、この本生地２ａより工具挿入側および工具先端突出側に伸びる被覆部Ｃを有した当生地２ｂを重ね合わせたものとし、これら被覆部Ｃをそれぞれ本生地２ａ側に折り返して、本生地２ａに固着している。前記第二のカバー部材２は、内生地２ｃの表裏面に、この内生地２ｃの工具先端突出側に伸びる第一の延長部Ｅと第二の延長部Ｅを有した外生地２ｄを巻き付けたものとし、この外生地２ｄを前記内生地２ｃに固着し、前記第一の延長部Ｅおよび第二の延長部Ｅをそれぞれ内側に折り返し、これらの折り返した部分を固着している。前記ベース部材１の表側に前記第一のカバー部材２を取り付けることにより、工具を挿入したとき工具の持手が突出する第一の開口６と、工具の先端が突出する第一の開口７を有した第一のポケット部３が形成され、さらに前記第一のカバー部材２の表側に第二のカバー部材２を取り付けることにより、工具を挿入したとき工具の持手が突出する第二の開口６と、工具の先端が突出する第二の開口７を有した第二のポケット部３が形成されている。
【００１６】
また、この発明の腰袋は、ベース部材１と第一〜三のカバー部材２とからなり、前記ベース部材１はベルト取付部５を有している。前記第一のカバー部材２および第二のカバー部材２は、それぞれ本生地２ａの裏面から、この本生地２ａより工具挿入側に伸びる被覆部Ｃを有した当生地２ｂを重ね合わせたものとし、この被覆部Ｃを本生地２ａ側に折り返して、本生地２ａに固着している。前記第三のカバー部材２は、本生地２ａの裏面から、この本生地２ａより工具挿入側および工具先端突出側に伸びる被覆部Ｃを有した当生地２ｂを重ね合わせたものとし、これら被覆部Ｃをそれぞれ本生地２ａ側に折り返して、本生地２ａに固着している。前記ベース部材１の表側に前記第一のカバー部材２を取り付け、このカバー部材２に底部材８を取り付けることにより、各種物品や工具を出し入れする第一の開口６と、これらが落ちないようにしておく第一の底９を有した第一のポケット部３が形成されている。前記第一のカバー部材２の表側に前記第二のカバー部材２を取り付けることにより、各種物品や工具を出し入れする第二の開口６と、これらが落ちないようにしておく第二の底９を有した第二のポケット部３が形成されている。前記第一のカバー部材２の表側に前記第三のカバー部材２を取り付けることにより、工具を挿入したとき工具の持手が突出する第三の開口６と、工具の先端が突出する開口７を有した第三のポケット部３が形成されている。
【発明の効果】
【００１７】
この発明の腰袋は、以上に述べたように構成されており、工具の持手が突出するポケット部３の開口６および工具の先端が突出するポケット部３の開口７の縁部には段差が生じることなく、先端が尖ったり曲がった工具であっても、ポケット部３に挿入し易いと共に、これら挿入した工具が引き出し易くなり、ポケット部３が破損し難いものとなった。
【図面の簡単な説明】
【００１８】
【図１】この発明の腰袋の第一実施形態を示す斜視図である。
【図２】図１に示すこの発明の腰袋の断面図である。
【図３】図１に示すこの発明の腰袋のポケット部の分解斜視図である。
【図４】この発明の腰袋の第二実施形態を示す斜視図である。
【図５】図４に示すこの発明の腰袋の断面図である。
【図６】この発明の腰袋の第三実施形態を示す斜視図である。
【図７】図６に示すこの発明の腰袋の断面図である。
【図８】図６に示すこの発明の腰袋の第二のポケット部の分解斜視図である。
【図９】図６に示すこの発明の腰袋の第二のポケット部の他例の分解斜視図である。
【図１０】この発明の腰袋の第四実施形態を示す斜視図である。
【図１１】図１０に示すこの発明の腰袋の断面図である。
【図１２】従来の腰袋の一例を示す正面図である。
【図１３】図１２に示す従来の腰袋の断面図である。
【図１４】従来の腰袋の他例を示す斜視図である。
【図１５】図１４に示す従来の腰袋の断面図である。
【発明を実施するための形態】
【００１９】
以下、この発明の腰袋を実施するための形態を、図面に基づいて詳細に説明する。
【００２０】
図１〜３は、この発明の腰袋の第一実施形態を示している。この第一実施形態の腰袋は、ベース部材１とカバー部材２とからなり、ベース部材１の表側にカバー部材２を取り付けることにより工具が挿入されるポケット部３が形成されている。これらベース部材１とカバー部材２は、柔軟性を備えた天然皮革地、人工皮革地、合成樹脂地などから構成されている。
【００２１】
前記ベース部材１は、ドライバー、スパナ、ナイフなどの縦長の工具が収まる程度の縦寸法および横寸法の縦長の帯形状としており、その縁部には帯状の補強生地４を巻き付け、ミシン糸などで縫着しており、このベース部材１の適宜の個所には、ベルト取付部５を有している。ベルト取付部５は、図示したものでは、ベース部材１の上部を表面側から裏面側に折り返し、その折り返した先端部をベース部材１に縫着するなどして固着しており、ベース部材１の上端から約１／３までを表面部と裏面部の二重構造となるようにし、その表面部と裏面部の間に形成されたベルト挿通孔としているが、このようなものに限定されることはない。例えば、このベルト取付部５としては、ベース部材１の表面側から裏面側にかけて貫通させた取付孔、ベース部材１の裏面側に取り付けたクリップ、面接着テープ、ボタン、磁石などとすることができる。また、前記ベルト取付部５は、ベース部材１に着脱自在にしたものとしてもよい。
【００２２】
なお、前記ベース部材１は、図示したものでは、一枚ものにしているが、表生地と裏生地からなる二枚ものにしたり、表生地と裏生地の間に内生地を挟み込んだ三枚ものなどにすることができる。
【００２３】
前記カバー部材２は、図３に示したように、略四角形状の本生地２ａの裏面から、この本生地２ａより上方（工具挿入側）および下方（工具先端突出側）に伸びる被覆部Ｃを有した当生地２ｂを重ね合わせたものとしている。そして、これら被覆部Ｃをそれぞれ本生地２ａ側に折り返して、本生地２ａに縫着するなどして固着している。また、前記カバー部材２は、図示していないが、本生地２ａより上方（工具挿入側）にのみ伸びる被覆部Ｃを有した当生地２ｂを重ね合わせたものとし、この被覆部Ｃを本生地２ａ側に折り返して、本生地２ａに縫着するなどして固着したものとしてもよい。前記被覆部Ｃは、図示した態様では、被覆部Ｃの端縁が露出しないように二回折りにしているが、一回折りにしてもよい。
【００２４】
さらに、前記カバー部材２は、図示したように、縦方向に二本の縫目Ｓを設け、これらの縫目Ｓに沿って山折りし易いようにしているが、縫目Ｓの本数は限定されることなく、二本より多くしても少なくしてもよい。また、カバー部材２には縫目Ｓを設けることなく、縦方向に反らして湾曲状にするようにしてもよい。なお、前記カバー部材２の本生地２ａも、図示したものでは、ベース部材１と同様に一枚ものにしているが、表生地と裏生地からなる二枚ものにしたり、表生地と裏生地の間に内生地を挟み込んだ三枚ものなどにすることができる。
【００２５】
そして、前記ベース部材１の表側の中央付近から下側にかけて、前記カバー部材２を配置し、このカバー部材２の両側部をベース部材１の両側部に縫着するなどして取り付けることにより、工具を挿入したとき工具の持手が突出する上部の開口６と、工具の先端が突出する下部の開口７を有した前記ポケット部３が形成されている。また、前記カバー部材２を、本生地２ａより上方（工具挿入側）にのみ伸びる被覆部Ｃを有した当生地２ｂを重ね合わせたものとし、この被覆部Ｃを本生地２ａ側に折り返して、本生地２ａに固着したものでは、このカバー部材２の両側部および下部をベース部材１の両側部および下部に縫着するなどして取り付けることにより、工具を挿入したとき工具の持手が突出する上部の開口６のみを有した前記ポケット部３が形成されたものにすることができる。このポケット部３は、図示したように、カバー部材２の縦方向に設けた二本の縫目Ｓに沿って山折りしたものとすれは、略四角筒状に形成されるが、前記したように縫目Ｓの本数を変えたり、縫目Ｓを無くしたりすることにより、略多角筒状や略半筒状などに形成することができる。
【００２６】
図４、５は、この発明の腰袋の第二実施形態を示している。この第二実施形態の腰袋は、ベース部材１と第一のカバー部材２および第二のカバー部材２とからなり、ベース部材１の表側に第一のカバー部材２を取り付けることにより工具が挿入される第一のポケット部３が形成され、さらに前記第一のカバー部材２の表側に第二のカバー部材２を取り付けることにより工具が挿入される第ニのポケット部３が形成されている。これらベース部材１とカバー部材２は、第一実施形態と同様に柔軟性を備えた天然皮革地、人工皮革地、合成樹脂地などから構成されている。
【００２７】
前記ベース部材１、前記第一および第二のカバー部材２は、第一実施形態のものと同様に形成されており、このベース部材１の表側の中央付近から下側にかけて、前記第一のカバー部材２を配置し、このカバー部材２の両側部をベース部材１の両側部に縫着するなどして取り付けることにより、工具を挿入したとき工具の持手が突出する第一の上部の開口６と、工具の先端が突出する第一の下部の開口７を有した第一のポケット部３が形成されている。さらに、前記第一のカバー部材２の表側に第二のカバー部材２を配置し、このカバー部材２の両側部を前記ベース部材１の両側部に縫着するなどして取り付けることにより、工具を挿入したとき工具の持手が突出する第二の上部の開口６と、工具の先端が突出する第二の下部の開口７を有した第二のポケット部３が形成されている。また、前記第一および第二のカバー部材２を、本生地２ａより上方（工具挿入側）に伸びる被覆部Ｃを有した当生地２ｂを重ね合わせたものとし、これらの被覆部Ｃをそれぞれ本生地２ａ側に折り返して、本生地２ａに固着したものでは、これらのカバー部材２の両側部および下部をベース部材１の両側部および下部に縫着するなどして取り付けることにより、工具を挿入したとき工具の持手が突出する上部の開口６のみを有した前記第一および第二のポケット部３が形成されたものとすることができる。これらポケット部３も第一実施形態のものと同様に形成されており、略多角筒形状や略半筒形状などに形成することができる。なお、第一の上部の開口６は第二の上部の開口６より上方に配置したものとしているが、これらの開口６、６を同位置に配置したものとしてもよく、また第一の下部の開口７は第二の下部の開口７より下方に配置したものとしているが、これらの開口７、７も同位置に配置したものとしてもよい。
【００２８】
図６〜９は、この発明の腰袋の第三実施形態を示している。この第三実施形態の腰袋は、ベース部材１と第一のカバー部材２および第二のカバー部材２とからなり、ベース部材１の表側に第一のカバー部材２を取り付けることにより工具が挿入される第一のポケット部３が形成され、さらに前記第一のカバー部材２の表側に第二のカバー部材２を取り付けることにより工具が挿入される第ニのポケット部３が形成されている。これらベース部材１とカバー部材２は、第一実施形態と同様に柔軟性を備えた天然皮革地、人工皮革地、合成樹脂地などから構成されている。
【００２９】
前記ベース部材１および前記第一のカバー部材２は、第一実施形態のものと同様に形成されている。前記第二のカバー部材２は、図８に示したように、略四角形状の内生地２ｃの表裏面に、この内生地２ｃより下方（工具先端突出側）に伸びる第一の延長部Ｅと第二の延長部Ｅを有した外生地２ｄを巻き付けたものとしている。そして、この外生地２ｄの上端部を前記内生地２ｃの上端部に縫着するなどして固着し、前記第一の延長部Ｅを内側に折り返し、前記第二の延長部Ｅを内生地２ｃの表面側に添うように内側に折り返し、これらの折り返した部分を重ね合わせるようにして内生地２ｃの下端部に縫着するなどして固着している。なお、図示していないが、前記第一の延長部Ｅを内生地２ｃの裏面側に添うように内側に折り返し、前記第二の延長部Ｅを内側に折り返し、これらの折り返した部分を重ね合わせるようにして内生地２ｃの下端部に縫着するなどして固着してもよい。
【００３０】
また、前記第二のカバー部材２は、図９に示したように、略四角形状の内生地２ｃの裏面に、この内生地２ｃより下方（工具先端突出側）に伸びる第二の延長部Ｅのみを有した外生地２ｄを巻き付けたものとしてもよい。そして、この外生地２ｄの上端部を前記内生地２ｃの上端部に縫着するなどして固着し、前記第二の延長部Ｅを内生地２ｃの表面側に折り返すと共に、この延長部Ｅの先端部をさらに内側に折り返し、この折り返した部分が外生地２ｄの下端部に重なるようにし、内生地２ｃの下端部に縫着するなどして固着してもよい。
【００３１】
さらに、前記第二のカバー部材２は、図示していないが、略四角形状の内生地２ｃの表面に、この内生地２ｃより下方（工具先端突出側）に伸びる第一の延長部Ｅのみを有した外生地２ｄを巻き付けたものとすることもできる。そして、この場合には、外生地２ｄの上端部を前記内生地２ｃの上端部に縫着するなどして固着し、前記第一の延長部Ｅを内生地２ｃの裏面側に折り返すと共に、この延長部Ｅの先端部をさらに内側に折り返し、この折り返した部分が外生地２ｄの下端部に重なるようにし、内生地２ｃの下端部に縫着するなどして固着することもできる。
【００３２】
また、前記第二のカバー部材２は、図示していないが、略四角形状の内生地２ｃの表裏面に、この内生地２ｃの上方（工具挿入側）を被うようにして外生地２ｄを巻き付けたものとすることもできる。そして、この場合には、外生地２ｄの巻付部を前記内生地２ｃの上端部に縫着するなどして固着している。
【００３３】
さらに、前記第一および第二のカバー部材２は、図示したように、縦方向に二本の縫目Ｓを設け、これらの縫目Ｓに沿って山折りし易いようにしているが、縫目Ｓの本数は限定されることなく、二本より多くしても少なくしてもよい。また、カバー部材２には縫目Ｓを設けることなく、縦方向に反らして湾曲状にするようにしてもよい。
【００３４】
そして、前記ベース部材１の表側の中央付近から下側にかけて、前記第一のカバー部材２を配置し、このカバー部材２の両側部をベース部材１の両側部に縫着するなどして取り付けることにより、工具を挿入したとき工具の持手が突出する第一の上部の開口６と、工具の先端が突出する第一の下部の開口７を有した第一のポケット部３が形成されている。さらに、前記第一のカバー部材２の表側に第二のカバー部材２を配置し、このカバー部材２の両側部を前記ベース部材１の両側部に縫着するなどして取り付けることにより、工具を挿入したとき工具の持手が突出する第二の上部の開口６と、工具の先端が突出する第二の下部の開口７を有した第二のポケット部３が形成されている。また、前記第一のカバー部材２を、本生地２ａより上方（工具挿入側）に伸びる被覆部Ｃを有した当生地２ｂを重ね合わせたものとし、この被覆部Ｃを本生地２ａ側に折り返して、本生地２ａに固着したものとした場合や、前記第二のカバー部材２を、内生地２ｃの表裏面に、この内生地２ｃの上方（工具挿入側）を被うようにして外生地２ｄを巻き付けたものとし、外生地２ｄの巻付部を前記内生地２ｃの上端部に縫着するなどして固着したものとした場合には、これらのカバー部材２の両側部および下部をベース部材１の両側部および下部に縫着するなどして取り付けることにより、工具を挿入したとき工具の持手が突出する上部の開口６のみを有した前記第一のポケット部３や第二のポケット部３が形成されたものとすることができる。これらポケット部３も第一実施形態のものと同様に形成されており、略多角筒形状や略半筒形状などに形成することができる。なお、第一の上部の開口６は第二の上部の開口６より上方に配置したものとしているが、これらの開口６、６を同位置に配置したものとしてもよく、また第一の下部の開口７は第二の下部の開口７より下方に配置したものとしているが、これらの開口７、７も同位置に配置したものとしてもよい。
【００３５】
図１０、１１は、この発明の腰袋の第四実施形態を示している。この第四実施形態の腰袋は、ベース部材１と第一〜三のカバー部材２とからなり、ベース部材１の表側に第一のカバー部材２を取り付けることにより多数の各種物品や工具が収納される第一のポケット部３が形成されていると共に、前記第一のカバー部材２の表側の前面に第二のカバー部材２を取り付けることにより少数の各種物品や工具が収納される第二のポケット部３が形成され、さらに前記第一のカバー部材２の表側の側面に第三のカバー部材２を取り付けることにより工具が一本ずつ収納される第三のポケット部３が形成されている。これらベース部材１とカバー部材２は、第一実施形態と同様に柔軟性を備えた天然皮革地、人工皮革地、合成樹脂地などから構成されている。
【００３６】
前記ベース部材１は、ドライバー、スパナ、ナイフなどの縦長の工具が収まる程度の縦寸法で、これら工具やビット、釘、ネジ類などの各種物品の多数が収まる程度の横寸法とした略四角形状としており、その縁部には帯状の補強生地４を巻き付け、ミシン糸などで縫着しており、このベース部材１の適宜の個所には、ベルト取付部５を有している。ベルト取付部５は、図示したものでは、ベース部材１の上部に縦長の帯形状の延長部１０を設け、この延長部１０を表面側から裏面側に折り返し、その折り返した先端部をベース部材１に縫着するなどして固着しており、ベース部材１の上部が表面部と裏面部の二重構造となるようにし、その表面部と裏面部の間に形成されたベルト挿通孔５としているが、このようなものに限定されることはない。例えば、このベルト取付部５としては、ベース部材１の表面側から裏面側にかけて貫通させた取付孔、ベース部材１の裏面側に取り付けたクリップ、面接着テープ、ボタン、磁石などとすることができる。また、前記ベルト取付部５は、ベース部材１に着脱自在にしたものとしてもよい。
【００３７】
なお、前記ベース部材１は、図示したものでは、一枚ものにしているが、表生地と裏生地からなる二枚ものにしたり、表生地と裏生地の間に内生地を挟み込んだ三枚ものなどにすることができる。
【００３８】
前記第一のカバー部材２は、前記ベース部材１と縦寸法が略同一で、横寸法を広くした略四角形状の本生地２ａの裏面から、この本生地２ａより上方（工具挿入側）に伸びる被覆部Ｃを有した当生地２ｂを重ね合わせたものとしている。そして、この被覆部Ｃを本生地２ａ側に折り返して、本生地２ａに縫着するなどして固着している。被覆部Ｃは、図示した態様では、被覆部Ｃの端縁が露出しないように二回折りにしているが、一回折りにしてもよい。さらに、このカバー部材２は、図示したように、縦方向に二本の縫目Ｓを設け、これらの縫目Ｓに沿って山折りし易いようにしているが、縫目Ｓの本数は限定されることなく、二本より多くしても少なくしてもよい。また、カバー部材２には縫目Ｓを設けることなく、縦方向に反らして湾曲状にするようにしてもよい。なお、前記カバー部材２の本生地２ａも、図示したものでは、ベース部材１と同様に一枚ものにしているが、表生地と裏生地からなる二枚ものにしたり、表生地と裏生地の間に内生地を挟み込んだ三枚ものなどにすることができる。
【００３９】
前記第二のカバー部材２は、前記カバー部材２より縦寸法が短く、横寸法も短くした略四角形状の本生地２ａの裏面から、この本生地２ａより上方（工具挿入側）に伸びる被覆部Ｃを有した当生地２ｂを重ね合わせたものとし、この被覆部Ｃを本生地２ａ側に折り返して、本生地２ａに縫着するなどして固着しており、これ以外は、前記第一のカバー部材２と同様に構成している。
【００４０】
前記第三のカバー部材２は、第一実施形態のものと同様に構成している。
【００４１】
さらに、前記第一〜三のカバー部材２は、図示したように、いずれも縦方向に二本の縫目Ｓを設け、これらの縫目Ｓに沿って山折りし易いようにしているが、縫目Ｓの本数は限定されることなく、二本より多くしても少なくしてもよい。また、前記カバー部材２には縫目Ｓを設けることなく、縦方向に反らして湾曲状にするようにしてもよい。なお、前記カバー部材２の本生地２ａも、図示したものでは、ベース部材１と同様に一枚ものにしているが、表生地と裏生地からなる二枚ものにしたり、表生地と裏生地の間に内生地を挟み込んだ三枚ものなどにすることができる。
【００４２】
そして、前記ベース部材１の表側に前記第一のカバー部材２を配置し、このカバー部材２の両側部をベース部材１の両側部に縫着するなどして取り付け、このカバー部材２の下縁部に底部材８を縫着するなどして取り付けることにより、各種物品や工具を出し入れする第一の上部の開口６と、これらが落ちないようにしておく第一の底９を有した第一のポケット部３が形成されている。なお、前記底部材８も、図示したものでは、ベース部材１と同様に一枚ものにしているが、表生地と裏生地からなる二枚ものにしたり、表生地と裏生地の間に内生地を挟み込んだ三枚ものなどにすることができる。
【００４３】
さらに、前記第一のカバー部材２の表側の正面に前記第二のカバー部材２を配置し、このカバー部材２の両側部を前記第一のカバー部材２の正面の両縁部に縫着するなどして取り付け、このカバー部材２の下部を折り曲げて、この折り曲げた下部の後縁部を第一のカバー部材２の下縁部に縫着するなどして取り付けることにより、各種物品や工具を出し入れする第二の上部の開口６と、これらが落ちないようにしておく第二の底９を有した第二のポケット部３が形成されている。
【００４４】
また、前記第一のカバー部材２の表側の側面に前記第三のカバー部材２を配置し、この第三のカバー部材２の両側部を前記カバー部材２に縫着するなどして取り付けることにより、工具を挿入したとき工具の持手が突出する第三の上部の開口６と、工具の先端が突出する下部の開口７を有した第三のポケット部３が形成されている。
【００４５】
なお、これら第一〜三のポケット部３は、図示したように、いずれもカバー部材２の縦方向に設けた二本の縫目Ｓに沿って山折りしたものとすれは、略四角筒状に形成されるが、前記したように縫目Ｓの本数を変えたり、縫目Ｓを無くしたりすることにより、略多角筒形状や略半筒形状などに形成することができる。
【００４６】
以上のように構成されたこの発明の腰袋は、以下に述べるようにして使用される。
【００４７】
先ず、第一実施形態に示す腰袋においては、使用者はベルト取付部５にベルトを取り付けて腰にぶら下げ、使用する工具の持手がポケット部３の上部の開口６から突出するようにしてこのポケット部３に工具を挿入し、この工具の先端を下部の開口７から突出させるようにする。この場合、ドライバーなどの先端が尖った工具や、万能レンチなどの先端が曲がった工具であっても、ポケット部３の下部の開口７の内側面には段差がないので、その工具の先端が下部の開口７の縁部に引っ掛かったりせず、この下部の開口７の縁部が破損したりすることがない。
【００４８】
そして、工具が必要となったときは、ポケット部３から引き出すが、この場合に先端が尖ったり曲がった工具であっても、ポケット部３の上部の開口６の内側面には段差がないので、その工具の先端が上部の開口６の縁部に引っ掛かったりせず、この上部の開口７の縁部が破損したりすることがない。
【００４９】
また、工具が不要となったときは、ポケット部３に挿入するが、この場合も前記したのと同様、工具の先端が下部の開口７の縁部に引っ掛かったりせず、この下部の開口７の縁部が破損したりすることがない。
【００５０】
次に、第二、三実施形態に示す腰袋においては、使用者はベルト取付部５にベルトを取り付けて腰にぶら下げ、使用する工具の持手が第一のポケット部３の上部の開口６および第二のポケット部３の上部の開口６から突出するようにしてこれらポケット部３にそれぞれ工具を挿入し、これら工具の先端をそれぞれのポケット部３の下部の開口７から突出させるようにする。この場合、先端が尖ったり曲がった工具であっても、第一のポケット部３の下部の開口７の内側面には段差がないので、その工具の先端が下部の開口７の縁部に引っ掛かったりせず、この下部の開口７の縁部が破損したりすることがない。したがって、第二、三実施形態に示す腰袋では、先端が尖ったり曲がったりした工具は、第一のポケット部３に挿入するようにし、先端が尖ったり曲がったりしてない工具は、第二のポケット部３に挿入するようにするのが好ましい。
【００５１】
そして、工具が必要となったときは、第一のポケット部３および第二のポケット部３から引き出すが、この場合に先端が尖ったり曲がった工具であっても、これらポケット部３の上部の開口６の内側面には段差がないので、それら工具の先端が上部の開口６の縁部に引っ掛かったりせず、これら上部の開口６の縁部が破損したりすることがない。
【００５２】
また、工具が不要となったときは、第一のポケット部３および第二のポケット部３に挿入するが、この場合も前記したのと同様、工具の先端が下部の開口７の縁部に引っ掛かったりせず、これら下部の開口７の縁部が破損したりすることがない。
【００５３】
さらに、第四実施形態に示す腰袋においては、使用者はベルト取付部５にベルトを取り付けて腰にぶら下げ、使用する各種物品や工具を第一のポケット部３の上部の開口６および第二のポケット部３の上部の開口６から、それぞれの底８に当たるようにして、これらポケット部３に挿入し、さらに使用する工具の持手が第三のポケット部３の上部の開口６から突出するようにしてこのポケット部３に工具を挿入し、この工具の先端を下部の開口７から突出させるようにする。この場合、先端が尖ったり曲がった工具であっても、第一のポケット部３および第二のポケット部３には下部の開口７が存在しないので、工具の先端が引っ掛かったりするようなことはなく、また第三のポケット部３の下部の開口７の内側面には段差がないので、その工具の先端が下部の開口７の縁部に引っ掛かったりせず、この下部の開口７の縁部が破損したりすることがない。
【００５４】
そして、各種物品や工具が必要となったときも、第一のポケット部３、第二のポケット部３および第三のポケット部３から引き出すが、この場合に先端が尖ったり曲がった工具であっても、これらポケット部３の上部の開口６の内側面には段差がないので、それら工具の先端が上部の開口６の縁部に引っ掛かったりせず、これら上部の開口６の縁部が破損したりすることがない。
【００５５】
また、各種物品や工具が不要となったときは、第一のポケット部３、第二のポケット部３および第三のポケット部３に挿入するが、この場合も前記したのと同様、工具の先端が下部の開口７の縁部に引っ掛かったりせず、これら下部の開口７の縁部が破損したりすることがない。
【００５６】
以上に述べたような工具をポケット部３から引き出したり、ポケット部３に挿入する操作は、この発明の腰袋の使用中において、頻繁に行なわれるので、従来の腰袋においては、その度ごとに工具の先端がポケット部３の上部の開口６の縁部や下部の開口７の縁部に引っ掛かって挿入し難く、非常に煩わしいものであり、またこれらポケット部３の上部の開口６の縁部や下部の開口７の縁部の破損も非常に著しいものであったが、この腰袋においては、これらの課題を解消することができるものとなった。
【符号の説明】
【００５７】
１  ベース部材
２  カバー部材
２ａ  本生地
２ｂ  当生地
２ｃ  内生地
２ｄ  外生地
３  ポケット部
５  ベルト挿通孔
６  開口
７  開口
８  底部材
９  底
Ｃ  被覆部
Ｅ  延長部
【図１】
2019130639.tif 000003
【図２】
2019130639.tif 000004
【図３】
2019130639.tif 000005
【図４】
2019130639.tif 000006
【図５】
2019130639.tif 000007
【図６】
2019130639.tif 000008
【図７】
2019130639.tif 000009
【図８】
2019130639.tif 000010
【図９】
2019130639.tif 000011
【図１０】
2019130639.tif 000012
【図１１】
2019130639.tif 000013
【図１２】
2019130639.tif 000014
【図１３】
2019130639.tif 000015
【図１４】
2019130639.tif 000016
【図１５】
2019130639.tif 000017